(57)【特許請求の範囲】
【請求項１】
釣り糸が外周に巻かれるスプールのスプール軸一端を回転可能に支えるためのリール本体と、前記スプールのスプール軸の他端を支えるように前記リール本体の一側に結合されたカバーと、釣り糸を前記スプール上に巻くように前記スプールを回転させるための回転取っ手とから構成されるベイトキャストリールの前記カバーを前記リール本体に対して着脱するためのベイトキャストリールのカバーロック装置において、
前記リール本体内に形成された第１溝内に位置する第１スプリングと、
その一端が前記第１スプリング上に支えられるように前記第１溝内に収容され、その他端は前記第１スプリングの弾性によって前記第１溝の外側に突出しているロック部材と、
その一端は前記カバーの外側の表面に形成された第２溝内に収容され、その他端に突出して形成された加圧部材は、前記ロック部材の他端を収容するように前記第２溝の反対側に突出した前記カバーの内側の表面に形成された第３溝を介して前記ロック部材を押すように前記第２溝と第３溝とを連通させるガイドホール内に挿入されたボタンと、
前記加圧部材の外周面に設けられ、前記ボタンの加圧部材が前記第３溝から離脱することを防止するためのストッパと、
を備えたことを特徴とするベイトキャストリールのカバーロック装置。
【請求項２】
前記第２溝の深さは、前記ボタンを押す時に前記ボタンが移動する距離及び前記ボタンの加圧部材によって押されるロック部材が移動する距離と同一に形成されている、請求項１に記載のベイトキャストリールのカバーロック装置。
【請求項３】
前記カバーを前記リール本体と結合させるために前記カバーをリール本体に対して回転させる時、前記ロック部材が前記カバーの突出した内側の表面によって接触され前記第１溝内に押されるように前記ロック部材の他端に傾斜面が形成されている、請求項１に記載のベイトキャストリールのカバーロック装置。
【発明の詳細な説明】
【０００１】
【発明の属する技術分野】
本発明は、ベイトキャストリールのカバーロック装置に関するもので、より詳細にはその外周に釣り糸が巻かれるスプールのスプール軸一端を支えるようにリール本体の一側に結合されているカバーを容易に分離できるようにするベイトキャストリールのカバーロック装置に関するものである。
【０００２】
【従来の技術】
一般的に釣り用のリールはスピニングリールとベイトキャストリールに区分される。
このようなベイトキャストリールは図１に示すように、その一側に回転取っ手(100) が結合されたリール本体(100) と、スプール(120) と、カバー(130) とから構成されている。スプール(120) には、回転取っ手(110) が回転することによって放たれた釣り糸が外周に巻かれ、一端がリール本体(100) 内で支えられるスプール軸(122) が設けられている。カバー(130) は、スプール軸(122) の他端を支えるようにリール本体(100) と結合されている。
【０００３】
このように構成されたベイトキャストリールを使用して釣りをする時には、釣り糸の先に人工餌を縛り、水の中に投げた後、回転取っ手を徐々に回転させて釣りをすることになる。この時、釣り糸はスプール(120) に形成された巻取り部に巻かれるようになり、人工餌は釣り糸が巻かれる方向に移動するので、魚はこの人工餌を生きている餌と錯覚してくわえることになる。
【０００４】
ベイトキャストリールを使用して釣りをする時には、釣り糸を投げた後に釣り糸を巻く動作を繰り返して行わなければならないので、スプール(120) 上に巻かれる釣り糸がもつれることがしばしば発生する。このため、もつれた釣り糸を解くためにはカバー(130) をリール本体(100) から分離させてスプール(120) を取り出さなければならない。
【０００５】
カバー(130) をリール本体(100) に対して着脱するためのカバーロック装置が図１に示されている。カバーロック装置は、カバー(130) が結合されるリール本体(100) の一側に突出している突出部(140) と、ロック部材(150) と、フック(142) とから構成される。ロック部材(150) は、カバー(130) がリール本体(100) と結合されるように回転する時、カバー(130) の一側に形成された挿入口(131) 内に滑りこんで入るようにその一端に傾斜面が形成されており、その他端はスプリング(152) によって支えられている。フック(142) は、カバー(130) がリール本体(100) と結合されるように回転する時、カバー(130) のそれ以上の回転を遮断し、カバー(130) がリール本体(100) から離脱するのを防止するためにカバー(130) に設けられている。
【０００６】
上記のように構成されているカバー(130) をリール本体(100) から分離するためには、片手で、できれば右手で、リール本体(100) をつかみ親指でロック部材(150) を後方に押す。これによって、挿入口(131) 内に挿入されていたロック部材(150) の一端が後退して上記挿入口(131) とのロック状態が解除されることになる。これと同時に他の手では、できれば左手で、カバー(130) をつかみ回転させる（下の方向）。これによって、突出部(140) とフック(142) とのロック状態が解除されるのでカバー(130) をリール本体(100) から分離できる。
【０００７】
【発明が解決しようとする課題】
しかし、上記の方法ではカバーをリール本体から分離させるためにリール本体を手でつかみ、ロック部材を解除させた後でなければ、カバーを回転させることができない。このため、リール本体の後方に位置したロック部材を解除する動作と、カバーを回転させる動作とを各々異なる手を利用して同時にしなければならないという問題点がある。
【０００８】
したがって、本発明の課題は、釣り用のリール本体の一側に装着されてあるカバーを簡便に着脱可能なベイトキャストリールのカバーロック装置を提供することにある。
【０００９】
【課題を解決するための手段】
上記の目的を達成するための本発明の適切な実施形態によるベイトキャストリールのカバーロック装置は、釣り糸が外周に巻かれているスプールのスプール軸一端を回転可能に支えるためのリール本体と、スプールのスプール軸の他端を支えるようにリール本体の一側に結合されているカバーと、釣り糸をスプール上に巻くようにスプールを回転させるための回転取っ手とから構成されるベイトキャストリールのカバーをリール本体に対して着脱するためのベイトキャストリールのカバーロック装置において、第１スプリングと、ロック部材と、ボタンと、ストッパとを備えている。
【００１０】
第１スプリングは、リールの本体内に形成された第１溝内に位置している。ロック部材は、一端が第１スプリング上に支えられるように第１溝内に収容されており、他端が第１スプリングの弾性によって第１溝の外側に突出されている。ボタンは、一端がカバーの外側の表面に形成された第２溝内に収容されており、他端に突出して形成された加圧部材は、ロック部材の他端を収容するように第２溝の反対側に突出したカバーの内側の表面に形成された第３溝を介してロック部材を押すように第２溝と第３溝とを連通させるガイドホール内に挿入されている。ストッパは、加圧部材の外周面に設けられ、ボタンの加圧部材が第３溝を離脱することを防止するためのものである。
【００１１】
本発明の適切な実施形態によるベイトキャストリールのカバーロック装置の他の特徴は、第２溝の深さが、ボタンを押す時にボタンが移動する距離及びボタンの加圧部材によって押されるロック部材が移動する距離と同一に形成されていることである。本発明の適切な実施形態によるベイトキャストリールのカバーロック装置のさらに他の特徴は、カバーをリール本体と結合させるためにカバーをリール本体に対して回転させる時、ロック部材がカバーの突出した内側の表面によって接触され、第１溝内に押されるようにロック部材の他端に傾斜面が形成されていることである。
【００１２】
【発明の実施の形態】
以下、図２乃至図５を参照して本発明の適切な実施形態によるベイトキャストリールのカバーロック装置を詳細に説明する。
図２は、本発明の適切な実施形態によるベイトキャストリールのカバー装置を概略的に示している。リール本体(10)内には釣り糸が外周に巻かれるスプール(20)が設置されており、リール本体(10)の一側にはカバー(30)がスプール(20)のスプール軸(21)一端を回転可能に支えるように結合されている。
【００１３】
リール本体(10)内には第１溝(13)が形成されており、第１溝(13)内には、第１スプリング(12)が収容されている。第１溝(13)内には、ロック部材(11)も収容されている。ロック部材(11)の一端は第１スプリング(12)によって支えられており、他端は第１スプリング(12)の弾性によって第１溝(13)の外側に突出している。ロック部材(11)の一端にはロック部材(11)が第１溝(13)から離脱するのを防止するためのフランジ(11b) が形成されている。ロック部材(11)の他端には傾斜面(11a) が形成されている。
【００１４】
カバー(30)の外側の表面には第２溝(23)が形成されており、第２溝(23)の反対側に突出したカバーの内側の表面(33a) には第３溝(33)が形成されている。第２溝(23)と第３溝(33)の間には第２溝(23)と第３溝(33)とを互いに連通させるガイドホール(25)が開けられている。
ボタン(40)の一端は第２溝(23)内に収容されており、ボタン(40)の他端に突出して形成された加圧部材(41)はロック部材(11)の他端を収容する第３溝(33)を介してロック部材(11)を押すようにガイドホール(25)内に挿入されている。加圧部材(41)の外側の表面には、加圧部材(41)が第３溝(33)から離脱するのを防止するためのストッパ(44)が設けられている。
【００１５】
ボタン(40)の押す動作をより柔らかくするため、第２溝(23)の底面に形成された第４溝(43)内に第２スプリング(42)が装着されている。
第２溝(23)の深さは、ボタン(40)を押す時にボタン(40)が移動する距離及びボタン(40)の加圧部材(41)によって押されるロック部材が移動する距離と同一に形成されている。
【００１６】
図３は、本発明の適切な実施形態によるベイトキャストリールのカバーロック装置がロックされた状態を表わしている。ロック部材(11)の他端は第１スプリング(12)によって第３溝(33)内に挿入されている。
釣り糸を交換する場合、あるいはもつれた釣り糸を解くためにはまず、カバー(30)をリール本体(10)から分離してスプール(20)を取り出さなければならない。カバー(30)をリール本体(10)から分離するためには、まず片手で、できれば右手でリール本体(10)をつかみ、他の手でカバー(30)をつかみながら、そのカバーをつかんだ手の指で、できれば親指でボタン(40)を押す。これによって、図４に図示されたように、加圧部材(41)はロック部材(11)の他端を押すことになり、これによりロック部材(11)は第１溝(13)内に後退して第３溝(33)とのロック状態が解除されたことになる。次に、この状態でカバー(30)を図５に示された矢印の方向にリール本体(10)に対して回転させる。これにより、図５に示されるように、従来の技術によって互いに結合されているフック(142) と突出部(140) は互いに分離されてカバー(30)がリール本体(10)から分離される。そして、ボタン(40)は第２スプリング(42)によって本来の位置に復帰し、ロック部材(11)は第１スプリング(12)によって本来の位置に復帰する。
【００１７】
前述したように、第２溝(23)の深さは、ボタン(40)を押す時にボタン(40)が移動する距離及びボタン(40)の加圧部材(41)によって押されるロック部材(11)が移動する距離と同一に形成されているので、使用者がボタン(40)を押す時にボタン(40)がそれ以上押せなくなったら、ロック部材(11)が第３溝(33)とのロック状態から完全に解除されたことを使用者が確認できることになる。
【００１８】
逆に、カバー(30)をリール本体(10)と結合させるためにはカバー(30)をリール本体(10)に対して回転された位置で、つまりカバー(30)が開けられるように回転された位置で、カバー(30)を開けるための回転方向と反対方向に回転させる。
これによって、突出したカバーの内側の表面(33a) は、ロック部材(11)の他端に形成された傾斜面(11a) と接触する。カバー(30)をフック(142) が突出部(140) にかかる位置までもっと回転させると、ロック部材(11)は第１スプリング(12)によって第１溝(13)内に後退した後、再び第１スプリング(12)によって第１溝(13)の外側に前進して第３溝(33)内に挿入される。これにより、カバー(30)とリール本体(10)との結合作動が終了する。
【００１９】
【発明の効果】
上述したように、本発明によるベイトキャストリールのカバーロック装置は単純なボタン操作によってカバーをリール本体に対して簡単に着脱できる。
【図面の簡単な説明】
【図１】従来の技術によるベイトキャストリールのカバーロック装置を示した分解斜視図。
【図２】本発明の適切な実施形態によるベイトキャストリールのカバーロック装置を概略的に示した断面図。
【図３】本発明の適切な実施形態によるベイトキャストリールのカバーロック装置がロックされた状態を示した拡大詳細図。
【図４】本発明の適切な実施形態によるベイトキャストリールのカバーロック装置が解除されている状態を示した拡大詳細図。
【図５】本発明の適切な実施形態によるベイトキャストリールのカバーロック装置が解除された後、カバーの開閉状態を示した正面図。
【符号の説明】
10    リール本体
11    ロック部材
11a   傾斜面
12    第１スプリング
13    第１溝
20    スプール
21    スプール軸
23    第２溝
25    ガイドホール
30    カバー
33    第３溝
33a   突出したカバーの内側の表面
40    ボタン
41    加圧部材
44    ストッパ
110   回転取っ手
【図１】
0003923596.tif 000002
【図２】
0003923596.tif 000003
【図３】
0003923596.tif 000004
【図４】
0003923596.tif 000005
【図５】
0003923596.tif 000006